(57)【要約】【課題】警備会社に頼ることなく、高額な料金も不要となり、しかも確実に異常情報、加えて被介護人の状況等を登録した者（電話番号、メ−ルアドレス）に対して通知し、その通知を受けた場合、その現実の状況を音声や画像（動画も含む）により確認することができるようにした異常情報の自動通報システムとする。【解決手段】異常の発生を感知するセンサ−と、そのセンサ−で感知された異常情報の履歴を記録保存する異常情報記録部と、その異常情報記録部に記録保存された履歴をホストセンタ−に設置されたホストコンピュ−タへ送信する手段と、そのホストコンピュ−タに入力された異常情報の履歴を予め登録されているナンバ−やアドレスの通信機器へ電子メ−ルにより自動送信することとし、前記したホストコンピュ−タにおいても履歴の保存がなされることとし、前記した電子メ−ルはホストコンピュ−タで送信先の要望に応じた加工、統計処理等を行ない履歴情報を作成し送信することとする。【選択図】　　　　　図１
2004040681.tif 000002
【特許請求の範囲】
【請求項１】
異常の発生を感知するセンサ−と、そのセンサ−で感知された異常情報の履歴を記録保存する異常情報記録部と、その異常情報記録部に記録保存された履歴をホストセンタ−に設置されたホストコンピュ−タへ送信する手段と、そのホストコンピュ−タに入力された異常情報の履歴を予め登録されているナンバ−やアドレスの通信機器へ電子メ−ルにより自動送信することを特徴とする異常情報の自動通報システム。
【請求項２】
前記したホストコンピュ−タにおいても履歴の保存がなされることを特徴とする請求項１に記載の異常情報の自動通報システム。
【請求項３】
前記した電子メ−ルの送信後、その電子メ−ルの受信者等から外部の電話回線によって状況確認要求が入力された場合、その外部の電話機に対して音声、画像等によって状況を告知する機能を有することを特徴とする請求項１または請求項２に記載の異常情報の自動通報システム。
【請求項４】
前記した予め登録されているナンバ−やアドレスは複数を可能としていることを特徴とする請求項１、請求項２または請求項３に記載の異常情報の自動通報システム。
【請求項５】
前記した電子メ−ルによる送信は希望時間を設定して行なわれることを可能としていることを特徴とする請求項１、請求項２、請求項３または請求項４に記載の自動通報システム。
【請求項６】
前記した電子メ−ルの送信先は優先順位が設けられていることを特徴とする請求項１、請求項２、請求項３、請求項４または請求項５に記載の異常情報の自動通報システム。
【請求項７】
前記した電子メ−ルは予め文例が複数設定され、異常情報の内容に合わせて選択され送信されることを特徴とする請求項１、請求項２、請求項３、請求項４、請求項５または請求項６に記載の異常情報の自動通報システム。
【請求項８】
前記した電子メ−ルはホストコンピュ−タで送信先の要望に応じた加工、統計処理等を行ない履歴情報を作成し送信することを特徴とする請求項１、請求項２、請求項３、請求項４、請求項５または請求項６に記載の異常情報の自動通報システム。
【発明の詳細な説明】
【０００１】
【発明の属する技術分野】
本発明は異常情報の自動通報システムに関し、主として住居やオフィス等の比較的小規模の区域にあって侵入者、火災、ガス漏れ等の危機発生や在居している被介護者の動向、状態等を外部にあって確認することが確実に行なえる異常情報の自動通報システムに関する。
【０００２】
【発明の背景】
従来、上記した通報システムとしてはいわゆるホ−ムセキュリティシステムが知られている。このホ−ムセキュリティシステムは在宅中、在居中であっても所定位置に設置してある異常検出センサ−が施錠の登録番号以外による開錠や破壊、侵入者、火災、ガス漏れ等を感知すると、予め契約してある警備会社へ異常事態発生の通報がいき、係員が当該の家やオフィスへかけつけるシステムとなっている。
【０００３】
また、上記のほかにも予め登録された電話番号へ異常事態の発生を通知するシステムも知られており、この場合は通報先が応答した場合にその異常事態の発生が告知されることとなる。
【０００４】
【発明が解決しようとする課題】
上記した従来のシステムにあって、警備会社との契約による場合、時として異常事態の発生を本人や関係者が知らずにいる場合、あるいは知ったとしても警備会社からの連絡が遅くなってしまうこともあり、加えて契約金や係員の出向に関しての高額な料金が必要となってくる。
【０００５】
また、登録された電話番号への通知にあっては対象電話機が使用中であったり、携帯電話やＰＨＳ等の場合、電波の届かないエリアにいたり、バッテリ−切れの場合には一切、異常事態の発生を告知することができなくなってしまう。
【０００６】
【発明の目的】
そこで、本発明は係る従来の実情、問題点に着目してなされたもので、かかる問題点を解消して、警備会社に頼ることなく、高額な料金も不要となり、しかも確実に異常情報、加えて被介護人の状況等を登録した者（電話番号、メ−ルアドレス）に対して通知し、その通知を受けた場合、その現実の状況を音声や画像（動画も含む）により確認することができるようにした異常情報の自動通報システムを提供することを目的としている。
【０００７】
【課題を解決するための手段】
この目的を達成するために、本発明に係る異常情報の自動通報システムは異常の発生を感知するセンサ−と、そのセンサ−で感知された異常情報の履歴を記録保存する異常情報記録部と、その異常情報記録部に記録保存された履歴をホストセンタ−に設置されたホストコンピュ−タへ送信する手段と、そのホストコンピュ−タに入力された異常情報の履歴を予め登録されているナンバ−やアドレスの通信機器へ電子メ−ルにより自動送信することを特徴とし、前記したホストコンピュ−タにおいても履歴の保存がなされることを特徴とし、前記した電子メ−ルの送信後、その電子メ−ルの受信者等から外部の電話回線によって状況確認要求が入力された場合、その外部の電話機に対して音声、画像等によって状況を告知する機能を有することを特徴とし、前記した予め登録されているナンバ−やアドレスは複数を可能としていることを特徴とし、前記した電子メ−ルによる送信は希望時間を設定して行なわれることを可能としていることを特徴とし、前記した電子メ−ルの送信先は優先順位が設けられていることを特徴とし、前記した電子メ−ルは予め文例が複数設定され、異常情報の内容に合わせて選択され送信されることを特徴とし、前記した電子メ−ルはホストコンピュ−タで送信先の要望に応じた加工、統計処理等を行ない履歴情報を作成し送信することを特徴としている。
【０００８】
【作用】
係る構成としたことによって、格別に整備会社に頼ることもなく、通話中であっても確実にメッセ−ジを登録した電話番号やメ−ルアドレスに対して送信することができ、受信側も遠隔地等にあっても自由な時間に情報履歴を読むことができ、しかもその状況も確認できることとなるのである。
【０００９】
【発明の実施の形態】
次に、本発明の好ましい実施の一形態を図１を参照して説明する。図１は本発明を実施した異常情報の自動通報システムを示すブロック図である。
【００１０】
この図１にあって１は異常事態発生の感知センサ−を示している。この感知センサ−１には人感センサ−、マグネットセンサ−等のほか、煙、ガス、温度等の感知センサ−があり、それらを一群として備えても、あるいは感知センサ−１の設置位置に対応させてそれらのセンサ−群のうち一つあるいは複数を選択して備えておくことができる。
【００１１】
また、この感知センサ−１にはメモリ−が組み込まれており、感知した異常情報の履歴を記録保存する。この記録保存には異常事態発生の日付、時刻も含ませることが可能である。さらに、この記録保存された異常情報の履歴はリセットにより消去することもあるいは永久的に保存させておくことも自在に選択することができるものとしている。
【００１２】
こうして、感知センサ−１のメモリ−に記録保存された異常情報の履歴は一般電話回線を介してホストセンタ−２に設置されているホストコンピュ−タ３に送信され、前記した異常情報の履歴が入力される。このホストセンタ−２に設置されるホストコンピュ−タ３は一台に限らず、複数台を設けることも可能で、そのホストコンピュ−タ３に数台のサブコンピュ−タを電気的に接続させてやることも可能である。そして、このホストコンピュ−タ３でも履歴の保存をすることが可能である。
【００１３】
このホストコンピュ−タ３には異常情報の履歴を送信してきた感知センサ−１と対応する携帯電話機４・４‥の電話番号やパ−ソナルコンピュ−タ５のメ−ルアドレスが登録されている。
【００１４】
ホストコンピュ−タ３に前記した異常情報の履歴が入力されると、その送信してきた感知センサ−１に対応する携帯電話番号やメ−ルアドレスを自動的に検索、選択し、送信されてきた異常情報の履歴と対応するメッセ−ジ文を複数の中から選択し、自動的に電子メ−ルを送信することとなる。また、電子メ−ルされる情報は送信先（客）の要望に応じて加工、統計処理等を行ない、履歴情報を作成して送信することもでき、ホストコンピュ−タは一定の判断、処理も行なうことが可能である。この電子メ−ル送信のためホストコンピュ−タ３はインタ−ネットを介することとなる。
【００１５】
また、この電子メ−ルの送信には複数の携帯電話機４・４‥の電話番号やメ−ルアドレスが登録されている場合には、優先順位をつけ（番号登録時に設定）、その順位に従って発信することも、あるいは一斉スタ−トによる発信を行なうこともできる。
【００１６】
さらに、この実施の形態を在宅中、在居中の徘徊癖老人や幼児等をはじめとする被介護人の状況確認として用いる場合等は前記した電子メ−ルの発信時刻を希望のものに設定し（例えば○○時、あるいは数時間おき）、その決まった時刻に受けることができるようにすることもできる。
【００１７】
そして、前記したホストコンピュ−タ３を介して異常情報の履歴（被介護人等の状況の定期報告も含む）を受けた時、その情報を受けた者等により外部から状況確認の要求が電話回線によって入力された場合、その外部の電話機、例えば登録されている電話番号を持つ携帯電話４・４‥に対して、音声によりあるいは画像（動画も含む）によって状況を告知し、確認させることも可能となる。
【００１８】
画像確認の場合は、感知センサ−１にカメラも付設することで、その映像をホストコンピュ−タ３を介して送ることとなり、音声の場合はマイクを付設してその状況における発生音や声等を伝えることができる。
【００１９】
【発明の効果】
本発明に係る異常情報の自動通報システムは上述のように構成され、実施される。情報の伝達に電子メ−ルを用いることによって相手機器が使用中等であっても確実にメッセ−ジを送ることができ、受信者は遠隔地等どの地域にあっても自らの自由な時にそのメッセ−ジを読み出すことができ、例えば被介護人の状況確認等も確実に行なえることとなり、非常に便利であるうえ、必要な費用も低廉なもので済むシステムとなっている。
【図面の簡単な説明】
【図１】本発明に係る異常情報の自動通報システムを実施した例を示すブロック図である。
【符号の説明】
１　感知センサ−
２　ホストセンタ−
３　ホストコンピュ−タ
４　携帯電話機
５　パ−ソナルコンピュ−タ
【図１】
2004040681.tif 000003